(57)【要約】【課題】筋交いの上端部を吊りボルトに取り付けるにあたって、筋交いの上端部に筋交い上端部取付金具をなくし、構造が簡単で、筋交いの取付けが簡単容易に行える筋交いの取付装置を提供する。【解決手段】筋交い２の上端部に二又状筋交い係合部５を設け、この係合部５は、吊りボルト１にその側面側から挿入するための二又状挿入部６を挟んで対向する第１係合片部７と第２係合片部８とからなり、第１係合片部７及び第２係合片部８には、吊りボルト１が係合する第１及び第２係合用孔部９，１０が形成され、且つ吊りボルト１に挿入された二又状挿入部６を中心に第１及び第２係合片部７，８を、吊りボルト１の軸直交回りに回転することによって、吊りボルト１を第１及び第２係合孔用孔部９、１０に係合案内するための第１及び第２係合案内用開口部１１，１２が第１及び第２係合片部７，８のボルト軸直交回り側に連通して形成されてなる。【選択図】図２
2018012932.tif 000002
【特許請求の範囲】
【請求項１】
天井部に垂下されて隣り合う吊りボルト間に筋交いを入れ、筋交いの上端部を一方の吊りボルトの上端部に取り付け、筋交いの下端部を隣り合う他方の吊りボルトの下端部に近い野縁受けの所要部に取り付ける筋交いの取付装置において、
筋交いは、長尺な筋交い本体部と該筋交い本体部の上端部に連結部によって連結される二又状筋交い係合部とからなり、
二又状筋交い係合部は、吊りボルトにその側面側から挿入するための二又状挿入部を挟んで連結部より分岐して形成されて互いに対向する第１係合片部と第２係合片部とからなり、
第１係合片部及び第２係合片部には、吊りボルトが係合する第１及び第２係合用孔部が形成され、且つ吊りボルトに挿入された二又状挿入部を中心に第１及び第２係合片部を吊りボルト１の軸直交回りに回転することによって、吊りボルトを第１及び第２係合孔用孔部に係合案内するための第１及び第２係合案内用開口部が第１及び第２係合片部のボルト軸直交回り側に連通して形成されてなる筋交いの取付装置。
【請求項２】
第１係合片部の基部側の第１係合片部基部と第２係合片部の基部側である第２係合片部基部との互いの側面側を繋ぐ立上がり片部を一体形成し、該立上がり片部によって二又状挿入部を挟んで第１係合片部に二又状に対向する第２係合片部が一体形成されてなる請求項１に記載の筋交いの取付装置。
【請求項３】
二又状筋交い係合部を形成するための打ち抜き金属板は、第１係合片部に相当する部分と第２係合片部に相当する部分と両者を繋ぐ立上がり片部に相当する部分と連結部に相当する部分とからなり、第１係合片部に相当する部分と第２係合片部に相当する部分と両者を繋ぐ立上がり片部に相当する部分とを２重の折り込み線でコ字状に折り込むことによって、二又状筋交い係合部の第１係合片部と第２係合片部と両者を繋ぐ立上がり片部とが形成され、第１係合片部に相当する部分と連結部に相当する部分とを折り込み線で折り込むことによって連結部が形成されてなる請求項１又は２に記載の筋交いの取付装置。
【請求項４】
筋交いの二又状筋交い係合部を吊りボルトの根元部付近に位置させ、筋交いの筋交い本体部の下端部を、隣り合う他方の吊りボルトの下端部に近い野縁受け付近に位置させた状態で、二又状筋交い係合部における第１及び第２係合片部の第１及び第２係合用孔部に形成した第１及び第２の上側及び下側係合縁に吊りボルトの側面を係合させて固定し、筋交い本体部の下端部を固定具によって野縁受けに固定してなる請求項１〜３の何れかに記載の筋交いの取付装置。
【請求項５】
第１係合片部基部と連結部との間に筋交いの筋交い本体部を所要の傾斜角度に傾斜して取り付けるための屈曲可能な板状ネック部が介在されてなる請求項１〜４の何れかに記載の筋交いの取付装置。
【請求項６】
吊りボルトに挿入された二又状挿入部を中心に第１及び第２係合片部を吊りボルトの軸直交回りに回転することによって、第１係合片部が下部側に、第２係合片部が第１係合片部７の上部側に対向して吊りボルトに係合するようになっている請求項１〜５の何れかに記載の筋交いの取付装置。
【請求項７】
吊りボルトに挿入された二又状挿入部を中心に第１及び第２係合片部を吊りボルト１の軸直交回りに回転することによって、第１係合片部が上部側に、第２係合片部が第１係合片部の下部側に対向して係合するようになっている請求項１〜５の何れかに記載の筋交いの取付装置。
【発明の詳細な説明】
【技術分野】
【０００１】
本発明は、天井部から垂下して取り付けられる吊りボルトの振れ止めのための筋交いの取付装置に関するものである。
【背景技術】
【０００２】
一般に天井材の下地構造は、天井部に埋設したインサートナットに吊りボルトの上端部を螺着して吊りボルトを天井部より垂下し、吊りボルトの下端部にハンガーを取り付け、このハンガーに野縁受けを支持し、この野縁受けにクリップを介し野縁を吊支し、この野縁に天井材を取り付けるようになっている。このような天井下地構造では、地震発生時における天井材の損壊落下を防止するために、吊りボルトの振れ止め用として隣り合う吊りボルト間に筋交いを入れるようにしている。しかして、従来における筋交いの取付装置として、本件出願人の過去に出願した下記特許文献１に記載されたものがある。
【先行技術文献】
【特許文献】
【０００３】
【特許文献１】特開２０１５ー２２４４２５号公報
【発明の概要】
【発明が解決しようとする課題】
【０００４】
上記従来の筋交いの取付装置では、特に筋交いの上端部を天井部に取り付けるための上端部取付金具を設けなければならず、しかも該取付金具は、部品点数が多く、構造が複雑であるため、製作費が高くつき、取付けにも手間がかかるといった問題がある。
【０００５】
本発明は、上記の事情に鑑み、筋交いの上端部取付金具をなくし、構造が簡単で、筋交いの取付けが簡単容易に行える筋交いの取付装置を提供することを目的とする。
【課題を解決するための手段】
【０００６】
上記課題を解決するための手段を、後述する実施形態の参照符号を付して説明すると、請求項１に係る発明の筋交いの取付装置は、天井部Ｓに垂下されて隣り合う吊りボルト１，１間に筋交い２を入れ、筋交い２の上端部を一方の吊りボルト１の上端部に取り付け、筋交い２の下端部を隣り合う他方の吊りボルト１の下端部に近い野縁受けＵの所要部に取り付ける筋交いの取付装置において、筋交い２は、長尺な筋交い本体部３と該筋交い本体部３の上端部に連結部４によって連結される二又状筋交い係合部５とからなり、二又状筋交い係合部５は、吊りボルト１にその側面側から挿入するための二又状挿入部６（図５の拡大図Ａ１の矢印Ｐ１、図８の拡大図Ｂ１の矢印Ｐ１参照）を挟んで連結部４より分岐して形成されて互いに対向する第１の係合片部７と第２係合片部８とからなり、第１係合片部７及び第２係合片部８には、吊りボルト１が係合する第１及び第２係合用孔部９，１０が形成され、且つ吊りボルト１に挿入された二又状挿入部６を中心に第１及び第２係合片部７，８を、吊りボルト１の軸直交回りに回転することによって（図６の拡大図Ａ２の矢印Ｐ２又は図９の拡大図Ｂ２の矢印Ｐ３参照）、吊りボルト１を第１及び第２係合孔用孔部９、１０に係合案内するための第１及び第２係合案内用開口部１１，１２が第１及び第２係合片部７，８のボルト軸直交回り側に連通して形成されてなる。
【０００７】
請求項２に係る発明は、第１係合片部７の基部側の第１係合片部基部７ａと第２係合片部８の基部側である第２係合片部基部８ａとの互いの側面側を繋ぐ立上がり片部１３を一体形成し、該立上がり片部１３によって二又状挿入部６を挟んで第１係合片部７に二又状に対向する第２係合片部８が一体形成されてなる。
【０００８】
請求項３に係る発明は、二又状筋交い係合部５を形成するための打ち抜き金属板５Ａは、図４に示すように、第１係合片部７に相当する部分と第２係合片部８に相当する部分と両者を繋ぐ立上がり片部１３に相当する部分と連結部４に相当する部分とからなり、第１係合片部７に相当する部分と第２係合片部８に相当する部分と両者を繋ぐ立上がり片部１３に相当する部分とを２重の折り込み線２０でコ字状に折り込むことによって、図２又は図３に示すように、二又状筋交い係合部５の第１係合片部７と第２係合片部８と両者を繋ぐ立上がり片部１３とが形成され、第１係合片部７に相当する部分と連結部４に相当する部分とを折り込み線２１で折り込むことによって連結部４が形成されてなる請求項１又は２に記載の構成からなる。
【０００９】
請求項４に係る発明は、二又状筋交い係合部５を吊りボルト１の根元部付近に位置させ、筋交い本体部３の下端部３ａを隣り合う他方の吊りボルト１の下端部に近い野縁受けＵ付近に位置させた状態で、図７に示すように、二又状筋交い係合部５における第１及び第２係合片部７，８の第１及び第２係合用孔部９，１０に形成した第１及び第２の上側及び下側係合縁１４，１５に吊りボルト１の側面を係合させて固定し、図６又は図９に示すように、筋交い本体部３の下端部３ａを固定具１６によって野縁受けＵに固定してなる請求項１〜３の何れかに記載の構成からなる。
【００１０】
請求項５に係る発明は、第１係合片部基部７ａと連結部４との間に筋交い２の筋交い本体部３を所要の傾斜角度に傾斜して取り付けるための屈曲可能な板状ネック部１７（図２、図３、図７又は図１０参照）が介在して一体形成されてなる請求項１〜４の何れかに記載の構成からなる。
【００１１】
請求項６に係る発明は、図５に示すように、吊りボルト１に挿入された二又状挿入部６を中心に第１及び第２係合片部７，８を、図６に示すように、吊りボルト１の軸直交回りＰ２に回転することによって、図６の拡大図Ａ２に示すように、第１係合片部７が下部側に、第２係合片部８が第１係合片部７の上部側に対向して吊りボルト１に係合するようになっている請求項１〜５の何れかに記載の構成からなる。
【００１２】
請求項７に係る発明は、図８に示すように、吊りボルト１に挿入された二又状挿入部６を中心に第１及び第２係合片部７，８を、図９に示すように、吊りボルト１の軸直交回りＰ３に回転することによって、図９の拡大図Ｂ２に示すように、第１係合片部７が上部側に、第２係合片部８が第１係合片部７の下部側に対向して係合するようになっている請求項１〜５の何れかに記載の構成からなる。
【発明の効果】
【００１３】
上記解決手段による発明の効果を、後述する実施形態の参照符号を付して説明すると、請求項１に係る発明の筋交いの取付装置によれば、筋交い２を吊りボルト１，１間に配置して、筋交い２の上端部の二又状筋交い係合部５の二又状挿入部６を、天井部Ｓより垂下している吊りボルト１の根元部１ａに、図５の拡大図Ａ１の矢印Ｐ１又は図８の拡大図Ｂ１の矢印Ｐ１に示すように、その側面側から挿入し、吊りボルト１に挿入された二又状挿入部６を中心に第１及び第２係合片部７，８を、図６の拡大図Ａ２の矢印Ｐ２又は図９の拡大図Ｂ２の矢印Ｐ３に示すように、吊りボルト１の軸直交回りＰ２，Ｐ３に回転することによって、吊りボルト１は第１及び第２係合案内用開口部１１，１２を介して第１及び第２係合片部７の第１及び第２係合孔用孔部９、１０に係合する。そして、図６の拡大図Ａ３又は図９の拡大図Ｂ３に示すように、筋交い２の筋交い本体部３の下端部３ａを野縁受けＵに固定するだけで、筋交い２の二又状筋交い係合部５は吊りボルト１の根元部１ａに固定され、筋交い２を吊りボルト１，１間に交叉状に配置連結することができ、筋交い２の上端部に何ら筋交い上端部部取付金具を必要としないから、それだけ安価に製作することができ、しかも吊りボルト１の根元部に筋交い２の二又状筋交い係合部５を筋交い本体部３を持って持ちきたし、筋交い本体部３の下端部３ａを野縁受けＵに固定するだけで、二又状筋交い係合部５を吊りボルト１の根元部１ａに固定することができるから、筋交い２の吊りボルト１への取り付けを、吊りボルト１の下方側からの遠隔操作によって簡単迅速に行うことができる。
【００１４】
請求項２に係る発明に係る発明によれば、第１係合片部７の基部側の第１係合片部基部７ａと第２係合片部８の基部側である第２係合片部基部８ａとの互いの側面側を繋ぐ立上がり片部１３を一体形成し、該立上がり片部１３によって二又状挿入部６を挟んで第１係合片部７に二又状に対向する第２係合片部８が一体形成されてなるため、吊りボルト１を係合する第１及び第２係合片部７，８の構造が極めて簡単である。
【００１５】
請求項３に係る発明によれば、二又状筋交い係合部５を形成するための打ち抜き金属板５Ａは、図４に示すように、第１係合片部７に相当する部分と第２係合片部８に相当する部分と両者を繋ぐ立上がり片部１３に相当する部分と連結部４に相当する部分とからなるため、鋼板等の金属板を打ち抜きプレス機による打ち抜き加工によって形成することができると共に、第１係合片部７に相当する部分と第２係合片部８に相当する部分と両者を繋ぐ立上がり片部１３に相当する部分とを２重の折り込み線２０でコ字状に折り込むことによって、図２又は図３に示すように、第１係合片部７と第２係合片部８と両者を繋ぐ立上がり片部１３とが形成され、第１係合片部７に相当する部分と連結部４に相当する部分とを折り込み線２１で折り込むことによって連結部４が形成され、打ち抜き金属板を単に曲げ加工によって二又状筋交い係合部５を形成することができ、二又状筋交い係合部５を安価に製作することができる。
【００１６】
請求項４に係る発明によれば、二又状筋交い係合部５を吊りボルト１の根元部に位置させ、筋交い本体部３の下端部を隣り合う他方の吊りボルト１の下端部に近い野縁受けＵ付近に位置させて、図６の拡大図Ａ３又は図９の拡大図Ｂ３に示すように、筋交い本体部３の下端部３ａを固定具１６によって野縁受けＵに固定するだけで、吊りボルト１の根元部１ａは、図７に示すように、二又状筋交い係合部５における第１及び第２係合片部７，８の第１及び第２係合用孔部９，１０に形成した第１及び第２の上側及び下側係合縁１４，１５に係合固定され、筋交い２は吊りボルト１，１間で傾斜状態に配置され、吊りボルト１の下部側から遠隔操作によって二又状筋交い係合部５を吊りボルト１の根元部１ａに堅固に固定することができ、筋交い２を吊りボルト１，１間に簡単迅速に取り付けることができる。
【００１７】
請求項５に係る発明によれば、図２又は図３に示すように、第１係合片部基部７ａと連結部４との間に筋交い２の筋交い本体部３を所要の傾斜角度に傾斜して取り付けるための屈曲可能な板状ネック部１７が介在されることによって、図１０に示すように、吊りボルト１，１間の間隔や筋交い２の長さ等の条件に合うように、吊りボルト１、１間に配置される筋交い２の傾斜角度を、筋交い２の配置前に板状ネック部１７を、適当な工具を用いて所望の屈曲角度に屈曲させるだけで、迅速容易に筋交い２を所望の傾斜角度、例えば３０°〜６０°の範囲に取り付けることができる。
【００１８】
請求項６に係る発明によれば、図５に示すように、吊りボルト１に挿入された二又状挿入部６を中心に第１及び第２係合片部７，８を、図６の拡大図Ａ２の矢印Ｐ２に示すように、吊りボルト１の軸直交回りＰ２に回転することによって、第１係合片部７が下部側に、第２係合片部８が第１係合片部７の上部側に対向して吊りボルト１に係合するようになっているため、二又状筋交い係合部５に連結される筋交い本体部３の下端部３ａを野縁受けＵの前後何れかの側面に合わせて固定することができる。
【００１９】
請求項７に係る発明によれば、図８に示すように、吊りボルト１に挿入された二又状挿入部６を中心に第１及び第２係合片部７，８を、図９の拡大図Ｂ２の矢印Ｐ３に示すように、吊りボルト１の軸直交回りＰ３に回転することによって、第１係合片部７が上部側に、第２係合片部８が第１係合片部７の下部側に対向して係合するようになっているため、二又状筋交い係合部５に連結される筋交い本体部３の下端部３ａを野縁受けＵの前後何れかの側面に合わせて固定することができる。
【図面の簡単な説明】
【００２０】
【図１】天井部より垂下された吊りボルトの互いに隣り合う吊りボルト間に筋交いを入れた状態の正面図である。
【図２】本発明の要部である筋交いの斜視図である。
【図３】（ａ） は筋交いの平面図である。（ｂ）は筋交いの正面図である。（ｃ）は筋交いの背面図である。
【図４】筋交いの二又状筋交い係合部の展開図である。
【図５】筋交いの吊りボルトへの取付方法の最初の工程を示すものである。
【図６】筋交いの吊りボルトへの取付状態を示すものである。
【図７】筋交いの二又状筋交い係合部を吊りボルトに係合固定した状態を示す拡大図である。
【図８】筋交いの吊りボルトへの他の取付方法の最初の工程を示すものである。
【図９】筋交いの吊りボルトへの他の取付状態を示すものである。
【図１０】筋交いの傾斜角度を調整する調整構造を示すものである。
【発明を実施するための形態】
【００２１】
以下に本発明の好適な一実施形態を図面に基づいて説明すると、図１には、天井部Ｓに埋設したインサートナットＳａに吊りボルト１の上端部を螺着し、吊りボルト１の下端部にハンガーＨを取り付け、このハンガーＨに野縁受けＵを支持し、この野縁受けＵにクリップＣを介して野縁Ｎを吊支し、この野縁Ｎに天井材Ｔを取り付けるようにした天井下地構造を示すと共に、この天井下地構造における隣り合う吊りボルト１，１間に筋交い２を入れ、筋交い２の上端部の二又状筋交い係合部５を隣り合う一方の吊りボルト１の上端部に取り付け、筋交い２の筋交い本体部３の下端部３ａを他方の吊りボルト１の下端部に近い野縁受けＵの所要部に取り付けた状態を示している。
【００２２】
筋交い２は、図２又は図３に示すように、長尺な筋交い本体部３と該筋交い本体部３の上端部に連結部４を当て、タッピングビス等の固定具１６によって連結部４をそのビス孔１６ａ（図４参照）を通して筋交い本体部３にねじ込み固着することによって筋交い本体部３に連結される二又状筋交い係合部５とからなり、筋交い本体部３は、図２に示すように、ウエブ２ａと両フランジ部２ｂ，２ｃとによって形成される軽量形鋼からなるものである。
【００２３】
二又状筋交い係合部５は、吊りボルト１にその側面側から挿入するための二又状挿入部６を挟んで連結部４より分岐して形成されて互いに対向する第１の係合片部７と第２係合片部８とからなり、第１係合片部７及び第２係合片部８には、吊りボルト１が係合する第１及び第２係合用孔部９，１０が形成され、且つ吊りボルト１に挿入された二又状挿入部６を中心に第１及び第２係合片部７，８を、吊りボルト１の軸回り方向に直交する方向、すなわち軸直交回りに回転することによって、吊りボルト１を第１及び第２係合孔用孔部９、１０に係合案内するための第１及び第２係合案内用開口部１１，１２が第１及び第２係合片部７，８のボルト軸直交回り側に連通して形成されてなる。
【００２４】
又、第１係合片部７の基部側の第１係合片部基部７ａと第２係合片部８の基部側である第２係合片部基部８ａとの互いの側面側を繋ぐ立上がり片部１３を一体形成し、該立上がり片部１３によって二又状挿入部６を挟んで第１係合片部７に二又状に対向する第２係合片部８が一体形成される。
【００２５】
更に、図２又は図３に示すように、第１係合片部基部７ａと連結部４との間に筋交い２の筋交い本体部３を所要の傾斜角度に傾斜して取り付けるための屈曲可能な板状ネック部１７が介在されてなる。
【００２６】
図４は、上記構造からなる二又状筋交い係合部５を形成するための打ち抜き金属板５Ａを示すもので、二又状筋交い係合部５が展開状態に打ち抜き形成された状態を示す。当該打ち抜き金属板５Ａは、第１係合片部７と第２係合片部８と両者を繋ぐ立上がり片部１３と第１係合用孔部９と第２係合用孔部１０と第１係合案内用開口部１１と第２係合案内用開口部１２と第１係合片部基部７ａと第２係合片部基部８ａと第１及び第２の上側係合縁１４及び下側係合縁１５と板状ネック部１７とビス孔１６ａ付きの連結部４との、以上に相当する部分を切り抜き形成してなるものである。そして、第１係合片部７に相当する部分と第２係合片部８に相当する部分と両者を繋ぐ立上がり片部１３に相当する部分とを２重の折り込み線２０でコ字状に折り込むことによって、二又状筋交い係合部５の第１係合片部７と第２係合片部８と両者を繋ぐ立上がり片部１３とが形成され、第１係合片部７に相当する部分と連結部４に相当する部分とを折り込み線２１で折り込むことによって連結部４が形成されてなるものである。すなわち、本発明の要部である二又状筋交い係合部５は鋼板等の金属板の打ち抜き加工及び曲げ加工によって容易に且つ安価に製作することができる。
【００２７】
次に、筋交い２を吊りボルト１，１間に配置して取り付ける工程を説明すると、先ず図５に示すように、筋交い２の上端部の二又状筋交い係合部５の二又状挿入部６を天井部Ｓより垂下している吊りボルト１の根元部１ａに、図５の拡大図Ａ１に示すように、二又状筋交い係合部５の立上がり片部１３に対して第１係合片部７及び第２係合片部８が下向きコ字状に配置して、二又状筋交い係合部５を、矢印Ｐ１に示すように、その側面側から挿入し、次に吊りボルト１に挿入された二又状挿入部６を中心に第１及び第２係合片部７，８を、図６の拡大図Ａ２の矢印Ｐ２に示すように、吊りボルト１の軸直交回りＰ２に回転することによって、吊りボルト１は、その軸直交回りＰ２側に開口した第１及び第２係合案内用開口部１１，１２を介して第１及び第２係合片部７の第１及び第２係合孔用孔部９、１０に係合し、そして、この状態で図６の拡大図Ａ３に示すように、筋交い本体部３の下端部３ａを野縁受けＵにタッピングビス等の固定具１６でねじ込み固定することによって、図７に示すように、筋交い２の筋交い本体部３の上端部で傾斜状に配置された二又状筋交い係合部５における第１係合片部７の第１係合用孔部９及び第２係合片部８の第２係合用孔部１０に吊りボルト１が貫通して、吊りボルト１は、第２係合用孔部１０の上側係合縁１４と第１係合用孔部９の下側係合縁１５とに強力に係合し、二又状筋交い係合部５は吊りボルト１に固定状態に取り付けられる。
【００２８】
これによって、筋交い２は、吊りボルト１の上端部と隣り合う他方の吊りボルト１の下端部近くの野縁受けＵとにわたって傾斜状に堅固に取り付けられ、外部からの振動衝撃を受けるも吊りボルト１及び野縁受けＵの動揺を阻止し天井材Ｔの脱落を有効に防止することになる。
【００２９】
なお、図５及び図６に示すように、二又状筋交い係合部５の立上がり片部１３に対して第１係合片部７及び第２係合片部８が下向きコ字状に配置した態様で、筋交い本体部３の上端部の二又状筋交い係合部５を吊りボルト１に係合することによって、筋交い本体部３の下端部３ａは図６及びその拡大図Ａ３に示すように、現場の条件に合わせて、野縁受けＵの一方側の側面に当てつけられて固定具１６によって固定されることになる。
【００３０】
又、図８の拡大図Ｂ１に示すように、二又状筋交い係合部５の立上がり片部１３に対して第１係合片部７及び第２係合片部８が上向きコ字状に配置して、二又状筋交い係合部５を図８の拡大図Ｂ１の矢印Ｐ１に示すように、その側面側から挿入し、次に吊りボルト１に挿入された二又状挿入部６を中心に第１及び第２係合片部７，８を、図９の拡大図Ｂ２の矢印Ｐ３に示すように、吊りボルト１の軸直交回りＰ３に回転することによって、吊りボルト１は、その軸直交回りＰ３側に開口した第１及び第２係合案内用開口部１１，１２を介して第１及び第２係合片部７の第１及び第２係合孔用孔部９、１０に係合し、そして、この状態で図９の拡大図Ｂ３に示すように、筋交い本体部３の下端部３ａを野縁受けＵにタッピングビス等の固定具１６でねじ込み固定することによって、図７とは若干相違するが、筋交い２の筋交い本体部３の上端部で傾斜状に配置され二又状筋交い係合部５における第２係合片部８の第２係合用孔部１０及び第１係合片部７の第１係合用孔部９に吊りボルト１が貫通して、吊りボルト１は、第１係合用孔部１０の上側係合縁１４と第２係合用孔部１０の下側係合縁１５とに強力に係合し、二又状筋交い係合部５は吊りボルト１の根元部１ａに堅固に固定状態に取り付けられることになる。
【００３１】
これによって、筋交い２は、吊りボルト１の上端部と隣り合う他方の吊りボルト１の下端部近くの野縁受けＵとにわたって傾斜状に堅固に取り付けられ、外部からの振動衝撃を受けるも吊りボルト１及び野縁受けＵの動揺を阻止し天井材Ｔの脱落を有効に防止することになる。
【００３２】
なお、図８及び図９に示すように、二又状筋交い係合部５の立上がり片部１３に対して第１係合片部７及び第２係合片部８が上向きコ字状に配置した態様で、筋交い本体部３の上端部の二又状筋交い係合部５を吊りボルト１に係合することによって、筋交い本体部３の下端部３ａは、図９及びその拡大図Ｂ３に示すように、現場の条件に合わせて、野縁受けＵの他方側の側面に当てつけられて固定具１６によって固定されることになる。
【００３３】
このように、筋交い２の上端部に何ら筋交い上端部部取付金具を必要としないから、それだけ安価に製作することができ、しかも二又状筋交い係合部５は吊りボルト１の根元部１ａに強固に係合固定されるから、筋交い２の吊りボルト１への取り付けを、吊りボルト１の下方側からの遠隔操作によって簡単迅速に行うことができる。
【００３４】
更に、図２、図３又は図７に示すように、第１係合片部基部７ａと連結部４との間に筋交い２の筋交い本体部３を所要の傾斜角度に傾斜して取り付けるための屈曲可能な板状ネック部１７が介在されている。このように、第１係合片部基部７ａと連結部４との間に筋交い２の筋交い本体部３を所要の傾斜角度に傾斜して取り付けるための屈曲可能な板状ネック部１７が介在することによって、図１０及びその拡大図に示すように、吊りボルト１，１間の間隔や筋交い２の長さ等の条件に合うように、吊りボルト１、１間に筋交い２が配置される前に、板状ネック部１７を、適当な工具を用いて所望の屈曲角度、例えば３０°〜６０°の範囲に屈曲させることができ、迅速容易に筋交い２の傾斜角度を現場の作業条件に容易に合わせることができ、極めて実用的である。
【符号の説明】
【００３５】
Ｓ            天井部
１            吊りボルト
１ａ          吊りボルトの下端部
２            筋交い
３            筋交い本体部
４            連結部
５            二又状筋交い係合部
５Ａ          打ち抜き金属板
６            二又状挿入部
７            第１係合片部
７ａ          第１係合片部基部
８            第２係合片部
８ａ          第２係合片部基部
９            第１係合用孔部
１０          第２係合用孔部
１１          第１係合案内用開口部
１２          第２係合案内用開口部
１３          立上がり片部
１４          上側係合縁
１５          下側係合縁
１６          固定具
１７          板状ネック部
【図１】
2018012932.tif 000003
【図２】
2018012932.tif 000004
【図３】
2018012932.tif 000005
【図４】
2018012932.tif 000006
【図５】
2018012932.tif 000007
【図６】
2018012932.tif 000008
【図７】
2018012932.tif 000009
【図８】
2018012932.tif 000010
【図９】
2018012932.tif 000011
【図１０】
2018012932.tif 000012